(57)【特許請求の範囲】
【請求項１】
開口部材と外壁材とが取り付けられた建物に設けられた止水部材を用いて、前記開口部材と前記外壁材との間で前記建物の止水を行う外壁構造であって、
前記建物は、室外側と室内側とを連通する開口部を形成する枠部材と、前記枠部材に取り付けられ、前記枠部材と前記外壁材の前記室内側との間に位置する壁下地材とを有し、
前記開口部材は、前記開口部内に配置される開口部材本体と、前記開口部材本体の外面から外側に向かって略直角に第１幅だけ延び、前記枠部材の前記室外側に固定されるフランジとを有し、
前記外壁材は、端面に係合溝を備え、
前記止水部材は、前記壁下地材及び前記枠部材並びに／又は前記壁下地材のみに固定され、前記壁下地材と前記外壁材との間に位置する、板状であって前記フランジの先端部から前記開口部材本体までの長さよりも長く上下に延伸した板部と、前記板部に設けられ、前記開口部材本体と対面する支持部と、前記開口部材本体に当接して水の侵入を阻止可能なシール部と、前記開口部材本体に当接しつつ、前記シール部を隠蔽可能な当接部と、前記係合溝に挿入されることによって前記外壁材の端面を係止して、前記外壁材を前記建物に取付け可能な係止部とを備え、
前記板部は、前記第１幅よりも長く、かつ、前記開口部材本体と前記外壁材との間隔よりも長い第２幅を有する板状に形成されるとともに、前記板部には、前記室外側に位置する室外面と、前記室内側に位置する室内面とが規定され、
前記支持部は、前記板部から略直角に設けられることにより、前記室内面側から前記室内側に向かって延伸するよう形成され、
前記シール部は、矩形状で圧縮変形が可能であるとともに前記支持部に貼付され、前記開口部材本体に当接可能であり、
前記当接部は、前記板部に対し、前記支持部とは反対である前記室外面側から前記室外側に向かって略直角に延伸するとともに、前記支持部よりも下方に形成され、
建物本体の室外側には、前記フランジが取り付けられているとともに、前記フランジよりも前記開口部材本体から離れた位置に前記壁下地材が取り付けられており、
前記壁下地材の室外側には、前記止水部材が、前記板部が前記壁下地材の室外側に当接し、前記当接部が前記開口部材本体の外面に当接し、かつ、前記シール部が圧縮変形するとともに前記開口部材本体の外面に当接した状態で取り付けられており、
前記係止部は前記外壁材を係止しており、
前記止水部材は、前記板部に取り付けられた釘又は螺子により前記壁下地材及び前記枠部材並びに／又は前記壁下地材のみに固定されており、
前記板部に取り付けられた釘又は螺子の前記開口部材本体からの位置は、前記フランジの先端部から前記開口部材本体までの長さである第１幅よりも離れている
ことを特徴とする外壁構造。
【発明の詳細な説明】
【技術分野】
【０００１】
本発明は、止水部材及び外壁構造に関する。
【背景技術】
【０００２】
例えば住宅等の建物では、窓サッシやドア等の開口部材が取り付けられる他、窯業等によって形成された外壁材が取り付けられ得る。このような建物では、柱材等の枠部材によって、窓や出入口等が配置される箇所に開口部が形成され、この開口部によって、室外側と室内側とが連通される。また、枠部材には、胴縁材等の壁下地材が取り付けられる。この壁下地材は、建物に外壁材が取り付けられることにより、枠部材と外壁材の室内側との間に位置する。
【０００３】
開口部材は、開口部材本体とフランジとを有している。開口部材本体は、開口部内に配置され、開口部、つまり、窓や出入口等の開閉を行う。フランジは、開口部材本体の外面から外側に向かって略直角に第１幅だけ延びている。このフランジが枠部材の室外側に固定されることによって、開口部材が建物に取り付けられる。
【０００４】
このような建物では、室内側に雨水等が浸入することを防止するために、止水部材を設けて、開口部材と外壁材との間で建物の止水が行われ得る。このような止水部材やこれを用いた外壁構造は、例えば、特許文献１に開示されている。
【０００５】
同文献の止水部材は、板部と、支持部と、シール部とを備えている。板部は、フランジの第１幅よりも長く、かつ、開口部材本体と外壁材との間隔よりも長い第２幅を有する板状に形成されている。また、この板部には、化粧部材を取り付けるための基部が突設されている。板部は、螺子によって壁下地材及び枠部材に固定されており、壁下地材と外壁材との間に位置している。この板部の固定に用いた螺子は、壁下地材からフランジの先端部を貫通しつつ、枠部材に至る。また、板部が壁下地材及び枠部材に固定されることにより、基部は、開口部材本体と外壁材との間に配置され、室外側に向かって突出する。
【０００６】
支持部は板部に設けられている。この支持部は、室外側に向かって略直角に延伸するように形成されており、基部と一体をなしている。シール部は支持部に設けられている。シール部としては、エチレンプロピレンゴム（ＥＰＤＭ）等が採用され得る。
【０００７】
この止水部材では、上記のように、板部が壁下地材及び枠部材に固定されることにより、シール部が開口部材本体と支持部との間で圧縮変形しつつ、開口部本体に当接する。これにより、板部と開口部材本体との間から水が室内側に侵入することが阻止される。
【０００８】
また、この止水部材では、基部と外壁材との間にコーキング材が充填され、このコーキング材によって、基部と外壁材との間から水が室内側に侵入することが阻止される。そして、コーキング材が充填された後、基部には化粧部材が取り付けられる。この化粧部材によって、コーキング材が隠蔽され、コーキング材が室外側に露出しなくなる。なお、同文献では、コーキング材に換えて、シール部と同様のＥＰＤＭ等を基部と外壁材との間に設ける旨の開示もされている。
【０００９】
このように、この止水部材や止水部材を用いた外壁構造では、シール部とコーキング材とによって、開口部材と外壁材との間で建物の止水を行い、建物の防水性を確保している。
【先行技術文献】
【特許文献】
【００１０】
【特許文献１】特開２０１２−１９６７号公報
【発明の概要】
【発明が解決しようとする課題】
【００１１】
しかし、上記従来の止水部材では、板部の固定に用いた螺子が壁下地材からフランジの先端部を貫通し、フランジの先端部にはその螺子による孔が形成されるおそれがある。この場合、この孔から雨水等が室内側に侵入するおそれがある。そこで、この止水部材では、上記のように、基部と外壁材との間にコーキング材を充填することによって、フランジに形成された孔から建物内に雨水等が侵入することを阻止している。
【００１２】
このように、この止水部材では、建物の防水性を確保するために開口部材と外壁材との間で建物の止水を行うに際し、シール部によって板部と開口部材本体との間を止水するだけでなく、コーキング材によって、板部と開口部材本体との間の止水を行う必要がある。このため、この止水部材やこれを用いた外壁構造では、施工が複雑となるとともにコストが増大する。
【００１３】
本発明は、上記従来の実情に鑑みてなされたものであって、開口部材と外壁材とが取り付けられた建物の防水性を確保しつつ、施工の容易化及び低コスト化を実現可能な止水部材及び外壁構造を提供することを解決すべき課題としている。
【課題を解決するための手段】
【００１４】
本発明の止水部材は、開口部材と外壁材とが取り付けられた建物に設けられ、前記開口部材と前記外壁材との間で前記建物の止水を行う止水部材であって、
前記建物は、室外側と室内側とを連通する開口部を形成する枠部材と、前記枠部材に取り付けられ、前記枠部材と前記外壁材の前記室内側との間に位置する壁下地材とを有し、
前記開口部材は、前記開口部内に配置される開口部材本体と、前記開口部材本体の外面から外側に向かって略直角に第１幅だけ延び、前記枠部材の前記室外側に固定されるフランジとを有し、
前記止水部材は、前記壁下地材及び前記枠部材並びに／又は前記壁下地材のみに固定され、前記壁下地材と前記外壁材との間に位置する板部と、前記板部に設けられ、前記開口部本体と対面する支持部と、前記支持部に設けられ、前記開口部本体に当接して水の侵入を阻止可能なシール部とを備え、
前記板部は、前記第１幅よりも長く、かつ、前記開口部材本体と前記外壁材との間隔よりも長い第２幅を有する板状に形成され、
前記板部は、前記第１幅よりも前記開口部材本体から遠隔された位置で釘又は螺子によって前記壁下地材及び前記枠部材並びに／又は前記壁下地材のみに固定されることを特徴とする。
【００１５】
本発明の止水部材では、板部は第２幅を有しており、釘や螺子によって壁下地材及び枠部材に固定されることによって、壁下地材と外壁材との間に位置する。これにより、シール部は開口部本体と支持部との間に配置され、開口部本体に当接することによって、水の侵入を阻止することが可能となる。
【００１６】
ここで、この止水部材では、板部がフランジの第１幅よりも開口部材本体から遠隔された位置において、壁下地材や枠部材に固定される。より詳細には、板部は、釘や螺子によって壁下地材と枠部材との両方に固定される場合と、釘や螺子によって壁下地材のみに固定される場合とがあり得る他、板部には、釘や螺子によって壁下地材と枠部材との両方に固定される箇所と、壁下地材のみに固定される箇所とが混在する場合があり得る。そして、これらのいずれにおいても、板部はフランジの第１幅よりも開口部材本体から遠隔された位置において固定される。つまり、板部は、フランジが存在しない位置で壁下地材や枠部材に固定される。このため、この止水部材では、釘や螺子によって板部を壁下地材及び枠部材の両方に固定する場合であっても、これによって、フランジに孔が形成されることがない。また、釘や螺子によって、壁下地材のみに板部を固定する場合において、仮に、釘や螺子が壁下地材を貫通しても、それらの先端によって、フランジが傷付けられるおそれがない。
【００１７】
これにより、この止水部材では、建物の防水性を確保するために開口部材と外壁材との間で建物の止水を行うに際し、シール部によって板部と開口部材本体との間を止水すれば、開口部材と外壁材との間における他の位置でコーキング材等による止水を行う必要がない。
【００１８】
したがって、本発明の止水部材によれば、開口部材と外壁材とが取り付けられた建物の防水性を確保しつつ、施工の容易化及び低コスト化を実現できる。
【００１９】
特に、この止水部材では、壁下地材及び枠部材に板部を固定すれば、シール部が開口部本体に当接して板部と開口部材本体との間を止水することが可能である。このため、板部と開口部材本体との間に別途コーキング材を充填して止水する場合と比較して、容易に止水を行うことができるとともに、場所毎の止水能力のばらつきを抑制することができる。この点においても、この止水部材では、施工の容易化を実現することができる。
【００２０】
本発明の止水部材において、枠部材としては、例えば、通柱、管柱、スタッド、窓台及びまぐさ等が挙げられる。また、壁下地材としては、例えば、胴縁材や合板等が挙げられる。これらの枠部材及び壁下地材は、木材や他の材質によって形成することができる。
【００２１】
外壁材は、例えば窯業等によって形成することができる他、種々の材質によって形成することができる。
【００２２】
開口部材としては、例えば、建物の窓に設けられる窓サッシの他、建物の出入口に設けられるドア等が挙げられる。また、開口部材本体には、窓や出入口等を開閉可能な部材や装置が含まれる。
【００２３】
シール部は、例えば、ＥＰＤＭや合成ゴム等の樹脂材の他、水の侵入を阻止可能な種々の素材によって形成することができる。
【００２４】
本発明の止水部材において、板部は、開口部材本体に当接しつつ、シール部を隠蔽可能な当接部を有し得る。また、板部には、室外側に位置する室外面と、室内側に位置する室内面とが規定され得る。さらに、当接部は、室外面側から室外側に向かって延伸するように形成され得る。そして、支持部は、室内面側から室内側に向かって延伸するように形成されていることが好ましい。
【００２５】
この場合には、支持部が室内面側から室内側に向かって延伸することにより、支持部に設けられたシール部は、当接部よりも室内側に位置することとなる。そして、この止水部材では、当接部によって、室外側からシール部を隠蔽することができるため、シール部の劣化を抑制して止水部材の耐久性を高くすることができる。ここで、当接部を金属製とすれば、当接部自体の耐久性も高くすることができるため、止水部材の耐久性をより高くすることができる。また、当接部によってシール部を隠蔽することにより、建物の美観を向上させることもできる。
【００２６】
当接部を板部に設けるに当たっては、例えば、当接部を形成する専用の部材を板部に取り付けることによって行うことができる他、板部に対して当接部を一体に形成することによって行うこともできる。
【００２７】
また、本発明の止水部材において、外壁材の端面には、係合溝が形成され得る。さらに、板部は、係合溝に挿入されることによって外壁材の端面を係止して、外壁材を建物に取付け可能な係止部を有し得る。また、板部には、室外側に位置する室外面と、室内側に位置する室内面とが規定され得る。そして、係止部は、第１幅よりも開口部材本体に近接された位置で室外面側に設けられていることが好ましい。
【００２８】
この場合には、止水部材は、開口部材と外壁材との間で建物の止水を行うとともに、建物に対する外壁材の取り付けも行うことが可能となる。この際、係止部に外壁材の端面を係止することにより、建物に外壁材を取り付けるに当たって、釘打ちや螺子留めを行う必要がない。このため、この止水部材によって建物に外壁材を取り付けることにより、外壁材の損傷や建物の美観が低下することがない。
【００２９】
また、係止部は、外壁材に形成された係合溝に挿入されることによって外壁材の端面を係止する。このため、この止水部材では、例えば、板部等に対して外壁材を別途に接着等を行うことなく、経年による外壁材の反りを抑制しつつ、係止部が外壁材を好適に係止することができる。これらの効果は、外壁材が窯業によって形成されている場合に、より顕著となる。
【００３０】
また、係止部は、フランジの第１幅よりも開口部材本体に近接された位置で板部の室外面側に設けられているため、板部を壁下地材及び枠部材に固定することにより、係止部は開口部材本体に近接して配置されることとなる。これにより、この止水部材では、外壁材が係止部に係止された際に外壁材と開口部材本体との間隔を小さくすることができる。
【００３１】
係止部を板部の室外面に設けるに当たっては、例えば、係止部を有する部材を板部の室外面側に取り付けることによって行うことができる他、板部の室外面に対して係止部を一体に形成することによって行うこともできる。
【００３２】
本発明の外壁構造は、開口部材と外壁材とが取り付けられた建物に設けられた止水部材を用いて、前記開口部材と前記外壁材との間で前記建物の止水を行う外壁構造であって、
前記建物は、室外側と室内側とを連通する開口部を形成する枠部材と、前記枠部材に取り付けられ、前記枠部材と前記外壁材の前記室内側との間に位置する壁下地材とを有し、
前記開口部材は、前記開口部内に配置される開口部材本体と、前記開口部材本体の外面から外側に向かって略直角に第１幅だけ延び、前記枠部材の前記室外側に固定されるフランジとを有し、
前記止水部材は、前記壁下地材及び前記枠部材並びに／又は前記壁下地材のみに固定され、前記壁下地材と前記外壁材との間に位置する板部と、前記板部に設けられ、前記開口部本体と対面する支持部と、前記支持部に設けられ、前記開口部本体に当接して水の侵入を阻止可能なシール部とを備え、
前記板部は、前記第１幅よりも長く、かつ、前記開口部材本体と前記外壁材との間隔よりも長い第２幅を有する板状に形成され、
前記板部は、前記第１幅よりも前記開口部材本体から遠隔された位置で釘又は螺子によって前記壁下地材及び前記枠部材並びに／又は前記壁下地材のみに固定されていることを特徴とする。
【００３３】
本発明の外壁構造は、上記の特徴を有する止水部材が用いられる。このため、この外壁構造によれば、建物の防水性を確保するために開口部材と外壁材との間で建物の止水を行うに際し、シール部によって板部と開口部材本体との間を止水すれば、開口部材と外壁材との間における他の位置でコーキング材等による止水を行う必要がない。
【００３４】
したがって、本発明の外壁構造によれば、開口部材と外壁材とが取り付けられた建物の防水性を確保しつつ、施工の容易化及び低コスト化を実現できる。
【発明の効果】
【００３５】
本発明の止水部材によれば、開口部材と外壁材とが取り付けられた建物の防水性を確保しつつ、施工の容易化及び低コスト化を実現できる。また、本発明の外壁構造によれば、開口部材と外壁材とが取り付けられた建物の防水性を確保しつつ、施工の容易化及び低コスト化を実現できる。
【図面の簡単な説明】
【００３６】
【図１】図１は、実施例１の外壁構造が採用された建物の一部を示す部分正面図である。
【図２】図２は、実施例１の外壁構造に係り、窓サッシの周囲を示す部分正面図である。
【図３】図３は、実施例１の外壁構造に係り、建物に窓サッシが取り付けられた状態を示す要部拡大断面図である。
【図４】図４は、実施例１の外壁構造に係り、第１〜４直線部用止水部材を示す斜視図である。
【図５】図４は、実施例１の外壁構造に係り、第１〜４角部用止水部材を示す正面図である。
【図６】図６は、実施例１の外壁構造に係り、図２におけるＶＩ−ＶＩ方向からの拡大矢視断面図である。
【図７】図７は、実施例１の外壁構造に係り、係止部材を示す拡大正面図及び拡大側面図である。図（Ａ）は、係止部材を示す拡大正面図である。図（Ｂ）は、係止部材を示す拡大側面図である。
【図８】図８は、実施例１の外壁構造に係り、図１におけるＶＩＩＩ−ＶＩＩＩ方向からの拡大矢視断面図である。
【図９】図９は、実施例２の外壁構造に係り、第１、２直線部用止水部材を示す斜視図及び側面図である。図（Ａ）は、第１、２直線部用止水部材を示す斜視図である。図（Ｂ）は、第１、２直線部用止水部材を示す側面図である。
【発明を実施するための形態】
【００３７】
以下、本発明を具体化した実施例１、２を図面を参照しつつ説明する。
【００３８】
（実施例１）
実施例１の外壁構造は、図１に示す住宅としての建物１に採用されている。この建物１には、窓サッシ３と複数の外壁材５とが取り付けられている。この窓サッシ３が本発明における開口部材に相当する。また各外壁材５は窯業によって形成されている。このような外壁材５としては、例えば、ニチハ株式会社製の「モエンエクセラード（登録商標）」等を採用することができる。
【００３９】
図２に示すように、この外壁構造は、第１〜４直線部用止水部材７〜１０と、第１〜４角部用止水部材１１ａ〜１１ｄとを備えている。この外壁構造では、これらの第１〜４直線部用止水部材７〜１０及び第１〜４角部用止水部材１１ａ〜１１ｄを用いて、窓サッシ３と各外壁材７との間で建物１の止水を行うとともに、窓サッシ３の上方及び下方において、外壁材５の取り付けを行う。なお、説明を容易にするため、図２では外壁材５を仮想線によって図示しているとともに、後述する化粧部材４５の図示を省略している。
【００４０】
建物１は木造であり、図３に示す枠部材１３の他、図２に示す複数の縦胴縁材１５ａ及び複数の横胴縁材１５ｂ等を有している。これらの各縦胴縁材１５ａ及び各横胴縁材１５ｂが本発明における壁下地材に相当する。そして、これらの枠部材１３、縦胴縁材１５ａ及び横胴縁材１５ｂ等が公知の工法によって組み付けられることによって構成されている。なお、枠部材１３は複数であり、図３及び後述の図６、８ではそのうちの一つの枠部材１３のみを図示している。また、図２に示すように、各縦胴縁材１５ａ及び各横胴縁材１５ｂと、各枠部材１３との間には、防水シート１７が設けられている。
【００４１】
この建物１では、複数の枠部材１３が枠組みされることにより、図２に示すように、矩形状の開口部１９が形成されている。この開口部１９は、建物１の窓に相当しており、図３に示すように、建物１の室外側と室内側とを連通している。また、図２に示すように、各縦胴縁材１５ａは、開口部１９の右側方及び左側方で枠部材１３に固定されている。一方、各横胴縁材１５ｂは、開口部１９の上方及び下方で枠部材１３に固定されている。これにより、各縦胴縁材１５ａ及び各横胴縁材１５ｂによって、開口部１９が囲包されている。また、これらの各縦胴縁材１５ａ及び各横胴縁材１５ｂは、建物１に外壁材５が取り付けられることにより、枠部材１３と外壁材５の室内側との間にそれぞれ位置する。
【００４２】
図１に示す窓サッシ３は公用品であり、サッシ本体３ａと、図３に示すフランジ３ｂとを有している。このサッシ本体３ｂが本発明における開口部材本体に相当する。図１に示すように、サッシ本体３ａは、アルミニウム合金製の複数の枠体１３０と、枠体１３０に取り付けられた複数の窓ガラス１３１とを有している。これにより、サッシ本体３ａは矩形の枠状をなしている。
【００４３】
図３に示すように、フランジ３ｂは、サッシ本体３ａに一体に設けられており、サッシ本体３ａの外面１３２から外側に向かって略直角に延びている。より具体的には、フランジ３ｂは第１幅Ｗ１の長さで形成されており、外面１３２から外側に向かって第１幅Ｗ１だけ延びている。これにより、サッシ本体３ａの外面１３２からフランジ３ｂの先端部１３３までは、第１幅Ｗ１の長さとなっている。また、このフランジ３ｂには複数の取付孔１３４が形成されている。各取付孔１３４は、フランジ３ｂにおいて先端部１３３よりも内側、すなわち、先端部１３３よりもサッシ本体３ａに近い位置に形成されている。
【００４４】
この外壁構造は、以下の各工程を行うことによって施工される。
【００４５】
まず初めに、建物１に窓サッシ３を設ける開口部材取付工程を行う。具体的には、サッシ本体３ａを開口部１９内に配置しつつ、フランジ３ｂを枠部材１３の室外側に当接させる。この状態で、各取付孔１３４に釘２１をそれぞれ挿通し、各釘２１を室外側から枠部材１３に打ち込むことによって、フランジ３ｂを枠部材１３の室外側に固定する。ここで、上記のように、各取付孔１３４は、フランジ３ｂの先端部１３３よりもサッシ本体３ａに近い位置に形成されている。このため、フランジ３ｂは、先端部１３３よりもサッシ本体３ａに近い位置において、枠部材１３の室外側に固定されることとなる。枠部材１３にフランジ３ｂを固定した後、枠部材１３には防水テープ２３が貼付される。また、防水テープ２３の室外側には上記の防水シート１７が施工されている。これらにより、枠部材１３とフランジ３ｂとの間の止水処理が施される。
【００４６】
また、図示を省略するものの、サッシ本体３ａには複数の取付孔が形成されており、これらの取付孔に挿通された取付螺子によってもサッシ本体３ａが枠部材１３に固定される。なお、建物１に窓サッシ３を設けるに際しては、枠部材１３とサッシ本体３ａとの間にスペーサ材２５が適宜設けられる。こうして、建物１に窓サッシ３が設けられ、開口部材取付工程が完了する。
【００４７】
次に、サッシ本体３ａの周囲において、図４示す第１〜４直線部用止水部材７〜１０と、図５に示す第１〜４角部用止水部材１１ａ〜１１ｄとをそれぞれ建物１に取り付ける止水部材取付工程を行う。まず、第１〜４直線部用止水部材７〜１０及び第１〜４角部用止水部材１１ａ〜１１ｄの各構成について詳細に説明する。
【００４８】
第１〜４直線部用止水部材７〜１０は、ほぼ同様の構成である。以下、第１直線部用止水部材７を基に構成について説明する。図４に示すように、第１直線部用止水部材７は、止水板本体２９と補助板３１とが組み合わされて形成されている。止水板本体２９は、板部２９０と、支持部２９１と、シール部２９２とを備えている。
【００４９】
図６に示すように、板部２９０は、第１〜４直線部用止水部材７〜１０を建物１に取り付けた際に、室外側に面する室外面２９０ａと、室外面２９０ａの裏面であり、室内側に面する室内面２９０ｂとを有している。図４に示すように、この板部２９０は、幅方向で一端側から他端側に延びるとともに、長手方向に延びる金属板によって形成されており略矩形の板状をなしている。ここで、第１、２直線部用止水部材７、８における板部２９０の長手方向の長さは、図２に示すように、サッシ本体３ａの左右方向の長さに対応して規定されている。一方、第３、４直線部用止水部材９、１０における板部２９０の長手方向の長さは、サッシ本体３ａの上下方向の長さに対応して規定されている。
【００５０】
また、図４に示すように、板部２９０の一端側には複数の取付孔２９０ｃが形成されている。各取付孔２９０ｃは、図６に示すように、第１直線部用止水部材７が建物１に取り付けられた際、板部２９０がフランジ３ｂの第１幅Ｗ１よりもサッシ本体３ａの外面１３２から遠隔した位置で固定されるように、板部２９０における位置が規定されている。
【００５１】
図４に示すように、支持部２９１は、板部２９０に対してプレス加工が施されることによって、板部２９０に一体で形成されている。より具体的には、支持部２９１は、板部２９０の他端側が室内側に向かって略直角に屈曲されることによって、室内面２９０ｂ側から室内側に向かって延伸するように形成されている。なお、金属以外の材質によって板部２９０及び支持部２９１を形成しても良い。
【００５２】
シール部２９２は、矩形状をなすＥＰＤＭによって形成されている。このシール部２９２は、支持部２９１に貼付されることにより、支持部２９１に設けられている。
【００５３】
補助板３１は、止水板本体２９の板部２９０及び支持部２９１を形成する金属板よりも薄い金属板によって形成されている。この補助板３１は、幅方向で一端側から他端側に延びるとともに、長手方向に延びる略矩形の板状をなしている。なお、補助板３１の長手方向の長さは、板部２９０の長手方向の長さに対応して規定されている。
【００５４】
補助板３１には、壁部３１０と当接部３１１とが形成されている。壁部３１０は平坦に形成されており、補助板３１の幅方向及び長手方向に延びている。当接部３１１は、壁部３１０に対してプレス加工が施されることによって、壁部３１０の他端側が室外側に向かって略直角に屈曲されて形成されている。なお、金属以外の材質によって補助板３１を形成しても良い。
【００５５】
補助板３１は、壁部３１０を板部２９０の室外面２９０ａに当接させた状態で複数のリベット３３によって板部２９０に接合されている。この際、壁部３１０によって各取付孔２９０ｃが塞がれることがないように、補助板３１は、各取付孔２９０ｃよりも他端側となる位置で板部２９０に接合されている。これにより、補助板３１が板部２９０の室外面２９０ａ側に位置した状態で止水板本体２９と補助板３１とが一体をなしている。こうして、第１直線部用止水部材７では、当接部３１１が板部２９０の室外面２９０ａ側から室外側に向かって延伸している。
【００５６】
これらのように形成された第１〜４直線部用止水部材７〜１０では、一端側から他端側まで、つまり、板部２９０の一端側から当接部３１１までが第２幅Ｗ２となっている。
【００５７】
ここで、この第２幅Ｗ２は、図６に示すように、フランジ３ｂの第１幅Ｗ１よりも長く、かつ、建物１に外壁材５が取り付けられた際における、サッシ本体３ａの外面１３２と外壁材５の端面５０との間隔Ｌよりも長くなっている。
【００５８】
また、図２示すように、第１、２直線部用止水部材７、８には、複数の係止部材３５が固定される。図７に示すように、係止部材３５は略矩形状をなしている。この係止部材３５には、金属板に対してプレス加工による打ち抜き加工及び屈曲加工が施されることにより、同図の（Ａ）に示すように、本体部３５ａと、リブ３５ｂと、一対の係止部３５ｃと、取付孔３５ｄとが設けられている。
【００５９】
同図の（Ｂ）に示すように、本体部３５ａは中央部が膨出する形状をなしている。同図の（Ａ）に示すように、リブ３５ｂは、本体部３５ａの一端側が凹設されることによって形成されている。各係止部３５ｃは、本体部３５ａの左右にそれぞれ位置している。各係止部３５ｃは、本体部３５ａに略コ字形状のスリットを切り欠き、そのスリットの内側の基端側が本体部３５ａから略直角に起立するように屈曲されるとともに、先端側が本体部３５ａの一端側に向かって略直角に屈曲されることにより形成されている。これにより、同図の（Ｂ）に示すように、各係止部３５ｃは、本体部３５ａから突出する略クランク形状をなしている。取付孔３５ｄは、同図の（Ａ）に示すように、本体部３５ａの他端側において、左右方向の略中央に形成されている。なお、各係止部３５ｃの形状は、外壁材５の厚み等に応じて適宜設計することができる。
【００６０】
この係止部材３５が取り付けられることにより、１〜４直線部用止水部材７〜１０のうち、第１、２直線部用止水部材７、８は、上記の板部２９０、支持部２９１、シール部２９１及び当接部３１１の他に、複数の係止部３５ｃを備えることとなる。なお、第１、２直線部用止水部材７、８に対する係止部材３５の取り付けについては後述する。
【００６１】
図５に示す第１〜４角部用止水部材１１ａ〜１１ｄは、いずれも同一の構成である。また、第１〜４角部用止水部材１１ａ〜１１ｄと、上記の第１〜４直線部用止水部材７〜１０とは、ほぼ同様の構成であり、止水板本体３７と補助板３９とが組み合わされて形成されている。止水板本体３７は、板部３７０と、支持部３７１と、シール部３７２〜３７５とを備えている。
【００６２】
上記の板部２９０と同様、板部３７０も金属板によって形成されており、室外面３７０ａと、室外面３７０ａの裏面となる室内面（図示略）とを有している。この板部３７０は、一端側から他端側へ板部２９０と同幅で延びており、平面視で略Ｌ字形状をなしている。そして、板部３７０には複数の取付孔３７０ｂが形成されている。各取付孔３７０ｂについても、第１〜４角部用止水部材１１ａ〜１１ｄが建物１に取り付けられた際、板部３７０がフランジ３ｂの第１幅Ｗ１よりも外面１３２から遠隔した位置で固定されるように、板部３７０における位置が規定されている。
【００６３】
支持部３７１は、上記の支持部２９１と同様に、プレス加工によって板部３７０の他端側が室内側に向かって略直角に屈曲されることによって、室内面側から室内側に向かって延伸するように形成されている。ここで、上記のように、板部３７０が平面視で略Ｌ字形状をなしていることから、この支持部３７１についても、同様に略Ｌ字形状をなしている。なお、金属以外の材質によって板部３７０及び支持部３７１を形成しても良い。
【００６４】
各シール部３７２〜３７５は、上記のシール部２９２と同様にＥＰＤＭによって形成されている。シール部３７２、３７３は、それぞれ支持部３９１に貼付されることにより、支持部３９１に設けられている。シール部３７４、３７５は、板部３７０の両側面にそれぞれ貼付されている。
【００６５】
補助板３９は、上記の補助板３１と同様の金属板によって形成されている。この補助板３９は、一端側から他端側へ補助板３１と同幅で延びている。また、この補助板３９についても、板部３７０と同様に平面視で略Ｌ字形状をなしている。
【００６６】
補助板３９には、壁部３９０と当接部３９１とが形成されている。壁部３９０は平坦に形成されている。当接部３９１は、上記の当接部３１１と同様に、壁部３９０に対してプレス加工が施されることによって、壁部３９０の他端側が室外側に向かって略直角に屈曲されて形成されている。なお、金属以外の材質によって補助板３９を形成しても良い。
【００６７】
補助板３９は、壁部３９０を板部３７０の室外面３７０ａに当接させた状態で複数のリベット３３によって板部３７０に接合されている。この際、壁部３９０によって各取付孔３７０ｂが塞がれることがないように、補助板３９についても、各取付孔３７０ｂよりも他端側となる位置で板部３７０に接合されている。これにより、補助板３９が板部３７０の室外面３７０ａ側に位置した状態で、止水板本体３７と補助板３９とが一体をなしている。こうして、第１〜４角部用止水部材１１ａ〜１１ｄにおいても、当接部３９１が板部３７０の室外面３７０ａ側から室外側に向かって延伸している。そして、これらの第１〜４角部用止水部材１１ａ〜１１ｄについても、第１〜４直線部用止水部材７〜１０と同様に、板部３７０の一端側から当接部３９１までが第２幅Ｗ２となっている。
【００６８】
第１〜４直線部用止水部材７〜１０と、第１〜４角部用止水部材１１ａ〜１１ｄとを建物１に取り付けるに当たっては、図２に示すように、まず、サッシ本体３ａの各角部に第１〜４角部用止水部材１１ａ〜１１ｄをそれぞれ配置し、これらを縦胴縁材１５ａ、横胴縁材１５ｂ及び枠部材１３に固定する。こうして、第１〜４角部用止水部材１１ａ〜１１ｄをそれぞれ建物１に取り付ける。
【００６９】
その後、第１角部用止水部材１１ａと第２角部用止水部材１１ｂとの間に第１直線部用止水部材７を配置しつつ、これを横胴縁材１５ｂ及び枠部材１３に固定する。同様に、第３角部用止水部材１１ｃと第４角部用止水部材１１ｄとの間に第２直線部用止水部材８を配置しつつ、これを横胴縁材１５ｂ及び枠部材１３に固定する。また、第２角部用止水部材１１ｂと第３角部用止水部材１１ｃとの間に第３直線部用止水部材９を配置しつつ、これを縦胴縁材１５ａ及び枠部材１３に固定する。さらに、第１角部用止水部材１１ａと第４角部用止水部材１１ｄとの間に第４直線部用止水部材１０を配置しつつ、これを縦胴縁材１５ａ及び枠部材１３に固定する。こうして、第１〜４直線部用止水部材７〜１０をそれぞれ建物１に取り付ける。これらの第１〜４直線部用止水部材７〜１０及び第１〜４角部用止水部材１１ａ〜１１ｄの建物１に対する各取り付けについて、第１直線部用止水部材７を基に詳細に説明する。
【００７０】
図６に示すように、第１直線部用止水部材７は、取付孔２９０ｃに挿通された第１取付螺子４１によって板部２９０が室外側から横胴縁材１５ｂ及び枠部材１３に固定されることにより、サッシ本体３ａの上方で建物１に取り付けられる。この第１取付螺子４１が本発明における螺子に相当する。このように、板部２９０が横胴縁材１５ｂ及び枠部材１３に固定されることにより、支持部２９１はサッシ本体３ａの外面１３２と対面する。また、シール部２９２が、支持部２９１と外面１３２との間で圧縮変形しつつ、外面１３２に当接する。さらに、圧縮変形したシール部２９２よりも室外側で当接部３１１が外面１３２に当接する。
【００７１】
ここで、上記のように、各取付孔２９０ｃは、板部２９０において、フランジ３ｂの第１幅Ｗ１よりもサッシ本体３ａの外面１３２から遠隔した位置に形成されている。このため、板部２９０は、第１幅Ｗ１よりも外面１３２から遠隔された位置において、第１取付螺子４１により横胴縁材１５ｂ及び枠部材１３に固定されることとなる。このように、板部２９０が横胴縁材１５ｂ及び枠部材１３に固定されることにより、室内面２９０ｂと枠部材１３との間には、横胴縁材１５ｂの厚みに応じた空間Ｓが形成される。なお、第１取付螺子４１に換えて、釘によって第１直線部用止水部材７を横胴縁材１５ｂ及び枠部材１３に固定しても良い。
【００７２】
同様の手順により、第２直線部用止水部材７がサッシ本体３ａの下方で建物１に取り付けられる。また、第３直線部用止水部材９がサッシ本体３ａの右側方で建物１に取り付けられ、第４直線部用止水部材１０がサッシ本体３ａの左側方で建物１に取り付けられる。この際、第１〜４角部用止水部材１１ａ〜１１ｄの各シール部３７４、３７５が第１〜４直線部用止水部材７〜１０とそれぞれ当接しつつ、圧縮変形する。
【００７３】
こうして、図２に示すように、サッシ本体３ａの周囲において、第１〜４直線部用止水部材７〜１０と、第１〜４角部用止水部材１１ａ〜１１ｄとが建物１に取り付けられ、止水部材取付工程が完了する。
【００７４】
次に、図６に示すように、建物１に対して複数の外壁材５を取り付ける外壁材取付工程を行う。建物１に対して各外壁材５を取り付けるに際し、各外壁材５の端面５０には、係合溝５ａが形成される。ここで、サッシ本体３ａの上方において、建物１に外壁材５を取り付けるに当たっては、この係合溝５ａに対して、各係止部材３５の各係止部３５ｃの先端側をそれぞれ挿入する。そして、係合溝５ａに各係止部３５ｃの先端側を挿入した状態で、各係止部材３５は、取付孔３５ｄに挿通された第２取付螺子４３によって、第１直線部用止水部材７の壁部３１０及び板部２９０に固定される。この際、係止部材３５は、各係止部３５ｃがフランジ３ｂの第１幅Ｗ１よりもサッシ本体３ａの外面１３２に近接する位置で設けられるように、壁部３１０及び板部２９０に固定される。また、係止部材３５は、各係止部３５ｃを室外側に配向させるとともに、その先端側を壁部３１０及び板部２９０の一端側に向けた状態で固定される。こうして、各係止部３５ｃは、第１幅Ｗ１よりも外面１３２に近接した位置で板部２９０の室外面２９０ａ側に設けられることとなる。ここで、係止部材３５を固定した際、第２取付螺子４３の先端は空間Ｓ内に止まる。このため、第２取付螺子４３の先端は、フランジ３ｂに当接しないだけでなく、防水シート１７や防水テープ２３にも当接しない。なお、第１直線部用止水部材７に固定される係止部材３５の個数は、開口部１９の大きさ、つまり、サッシ本体３ａの左右方向の長さに応じて適宜調整される。
【００７５】
このように、係止部材３５が第１直線部用止水部材７の壁部３１０及び板部２９０に固定されことにより、サッシ本体３ａの上方において、第１直線部用止水部材７を介して外壁材５が建物１に取り付けられる。この際、上記のように、サッシ本体３ａの外面１３２と外壁材５の端面５０とは、間隔Ｌだけ隔てられる。同様に、係止部材３５が第２直線部用止水部材８の壁部３１０及び板部２９０に固定されることにより、サッシ本体３ａの下方において、第２直線部用止水部材８を介して外壁材５が建物１に取り付けられる。
【００７６】
一方、サッシ本体３ａの右側方及び左側方では、図示しない公知の接合金具によって、建物１に外壁材５が取り付けられる。サッシ本体３ａの右側方及び左側方においても、サッシ本体３ａの外面１３２と外壁材５の端面５０とは、間隔Ｌだけ隔てられる。こうして、各外壁材５が建物１に取り付けられて外壁材取付工程が完了する。このように建物１に各外壁材５が取り付けられることにより、この外壁構造において、第１〜４直線部用止水部材７〜１０の板部２９０と、第１〜４角部用止水部材１１ａ〜１１ｄの板部３７０とは、それぞれ、縦胴縁材１５ａや横胴縁材１５ｂと、外壁材５との間に位置することとなる。なお、第１取付螺子４１の螺子頭は、外壁材５よりも室内側に位置するため、室外側に露出しない。
【００７７】
外壁材取付工程が完了した後、図１に示すように、窓サッシ３の周囲に化粧部材４５を取り付ける化粧部材取付工程が行われる。図８に示すように、化粧部材４５は、ベース材４５１と、受け材４５２と、トップ材４５３とを有している。これらのベース材４５１、受け材４５２及びトップ材４５３は、それぞれサッシ本体３ａの上下及び左右に設けられる。このため、サッシ本体３ａの上下に設けられるベース材４５１及びトップ材４５３の各長手方向の長さは、サッシ本体３ａの左右方向の長さに対応して規定されている。一方、サッシ本体３ａの左右に設けられるベース材４５１及びトップ材４５３の各長手方向の長さは、サッシ本体３ａの上下方向の長さに対応して規定されている。これに対して、受け材４５２の長手方向は、ベース材４５１及びトップ材４５３の各長手方向よりも短く形成されている。以下、サッシ本体３ａの上方に設けられるベース材４５１、受け材４５２及びトップ材４５３を基に構成及び取付手順を説明する。
【００７８】
ベース材４５１には、ＥＰＤＭ製のシール部４５１ａが設けられている。このシール部４５１ａは矩形状をなしている。また、ベース材４５１には、第１係合部４５１ｂが形成されている他、収容空間４５１ｃが形成されている。受け材４５２には、第１被係合部４５２ａと第２係合部４５２ｂとが形成されている。トップ材４５３には、化粧面４５３ａが形成されている。また、トップ材４５３において、化粧面４５３ａの裏面側には第２被係合部４５３ｂが形成されている。
【００７９】
ベース材４５１は、第３取付螺子４７によって、第１直線部用止水部材７に固定されている。これにより、ベース材４５１は、外壁材５の端面５０とサッシ本体３ａとの間において、板部２９０の室外面２９０ａ側となる位置に設けられる。第３取付螺子４７の先端は、補助板３１及び止水板本体２９を貫通して、空間Ｓ内に止まる。これにより、第３取付螺子４７の先端についても、フランジ３ｂに当接しないだけでなく、防水シート１７や防水テープ２３にも当接しない。また、シール部４５１ａは、ベース部材４５１と第１直線部用止水部材７との間、より具体的には、ベース部材４５１と壁部３９０との間で圧縮変形しつつ、壁部３９０と当接する。
【００８０】
受け材４５２は、第１係合部４５１ｂと、第１被係合部４５２ａとを係合することによって、ベース材４５１に組み付けられる。ここで、上記のように、受け部材４５２の長手方向の長さは、ベース材４５１の長手方向の長さよりも短いため、ベース材４５１に対して複数の受け部４５２が組み付けられることとなる。また、各受け部材４５２は、それぞれ第４取付螺子４９によって、ベース材４５１に固定される。この第４取付螺子４９の先端は収容空間４５１ｃ内に止まる。
【００８１】
トップ材４５３は、各受け部材４５２の各第２係合部４５２ｂと、第２被係合部４５３ｂとを係合することによって、各受け部４５２を介してベース材４５１に組み付けられる。こうして、トップ材４５３は外壁材５の端面５０とサッシ本体３ａとの間に配置される。これにより、化粧面４５３ａによって、第１直線部用止水部材７、係止部材３５、ベース材４５１及び受け材４５２の他、端面５０を含む外壁材５の一部が覆われた状態となる。
【００８２】
サッシ本体３ａの下方、右側方及び左側方においても同様に、ベース材４５１、受け材４５２及びトップ材４５３が外壁材５の端面５０とサッシ本体３ａとの間に設けられ、化粧部材取付工程が完了する。こうして、外壁構造の施工が完了する。
【００８３】
以上のように施工された外壁構造は、第１〜４直線部用止水部材７〜１０と、第１〜４角部用止水部材１１ａ〜１１ｄとを備えている。第１〜４直線部用止水部材７〜１０では、止水板本体２９と補助板３１とが一体をなすことにより、板部２９０の一端側から当接部３１１までが第２幅Ｗ２となっている。同様に、第１〜４角部用止水部材１１ａ〜１１ｄでは、止水板本体３７と補助板３９とが一体をなすことにより、板部３７０の一端側から当接部３９１までが第２幅Ｗ２となっている。
【００８４】
このように、この外壁構造では、第１〜４直線部用止水部材７〜１０及び第１〜４角部用止水部材１１ａ〜１１ｄがそれぞれ第２幅Ｗ２を有している。そして、第１〜４直線部用止水部材７〜１０の板部２９０や第１〜４角部用止水部材１１ａ〜１１ｄの板部３７０は、第１取付螺子４１によって、縦胴縁材１５ａ及び枠部材１３又は横胴縁材１５ｂ及び枠部材１３に固定され、縦胴縁材１５ａと枠部材１３や横胴縁材１５ｂと枠部材１３との間に位置する。これにより、第１〜４直線部用止水部材７〜１０では、シール部２９２は、サッシ本体３ａの外面１３２と支持部２９１との間に配置され、圧縮変形しつつサッシ本体３ａに当接することによって、外面１３２と板部２９０との間で水の侵入を阻止することが可能となっている。同様に、第１〜４角部用止水部材１１ａ〜１１ｄでは、各シール部３７２、３７３は、外面１３２と支持部３７１との間に配置され、圧縮変形しつつサッシ本体３ａに当接することによって、外面１３２と板部３７０との間で水の侵入を阻止することが可能となっている。
【００８５】
ここで、建物１では、防水シート１７や防水テープ２３が設けられることにより、防水性が予め確保されている。このため、各シール部２９２、３７２、３７３によって、サッシ本体３ａの周囲においても止水されることにより、室内側へ水が侵入することをより好適に阻止することが可能となっている。これにより、この外壁構造を採用した建物１では、より高い防水性を発揮することができる。
【００８６】
また、この外壁構造では、サッシ本体３ａの各角部において、第１〜４角部用止水部材１１ａ〜１１ｄをそれぞれ縦胴縁材１５ａ、横胴縁材１５ｂ及び枠部材１３に固定した後に、第１〜４直線部用止水部材７〜１０をそれぞれ縦胴縁材１５ａ、横胴縁材１５ｂ及び枠部材１３に固定する。このため、この外壁構造では、第１〜４直線部用止水部材７〜１０及び第１〜４角部用止水部材１１ａ〜１１ｄをサッシ本体３ａ周りに取り付けるに当たって、これらの位置決めが容易となっている。
【００８７】
そして、この外壁構造では、板部２９０や板部３７０がフランジ３ｂの第１幅Ｗ１よりも外面１３２から遠隔された位置において、第１取付螺子４１によって縦胴縁材１５ａ及び枠部材１３又は横胴縁材１５ｂ及び枠部材１３に固定される。つまり、板部２９０や板部３７０は、フランジ３ｂが存在しない位置で、縦胴縁材１５ａ及び枠部材１３又は横胴縁材１５ｂ及び枠部材１３に固定される。このように、第１取付螺子４１によって固定されることにより、例えば、貼着や接着によって固定を行う場合と比較して、第１〜４直線部用止水部材７〜１０や第１〜４角部用止水部材１１ａ〜１１ｄを縦胴縁材１５ａ、横胴縁材１５ｂ及び枠部材１３に容易かつ強固に固定することができる。そして、この外壁構造では、第１取付螺子４１によって、板部２９０や板部３７０を縦胴縁材１５ａ、横胴縁材１５ｂ及び枠部材１３に固定しても、これによって、フランジ３ｂに孔が形成されることがない。
【００８８】
また、この外壁構造では、第１、２直線部用止水部材７、８に対して、第２取付螺子４３によって係止部材３５が固定される。この際、第２取付螺子４３の先端は、空間Ｓ内に止まることから、フランジ３ｂに当接しないだけでなく、防水シート１７や防水テープ２３にも当接しない。このため、係止部材３５が固定されることによって、建物１の防水性が低下することがない。
【００８９】
これらにより、この外壁構造では、建物１の防水性を確保するためにサッシ本体３ａと外壁材５との間で建物１の止水を行うに際し、シール部２９２、３７２、３７３によって、板部２９０、３７０と外面１３２との間を止水すれば、サッシ本体３ａと外壁材５との間における他の位置でコーキング材等による止水を行う必要がない。
【００９０】
したがって、実施例１の外壁構造によれば、窓サッシ３と外壁材５とが取り付けられた建物１の防水性を確保しつつ、施工の容易化及び低コスト化を実現できる。
【００９１】
特に、この外壁構造では、縦胴縁材１５ａ、横胴縁材１５ｂ及び枠部材１３に板部２９０、３７０を固定すれば、シール部２９２、３７２、３７３がサッシ本体３ａに当接して板部２９０、３７０と外面１３２との間を止水することが可能である。このため、板部２９０、３７０とサッシ本体３ａとの間に別途コーキング材を充填して止水する場合と比較して、容易に止水を行うことができるとともに、場所毎の止水能力のばらつきを抑制することができる。この点においても、この外壁構造では、施工の容易化を実現することができる。
【００９２】
また、第１〜４角部用止水部材１１ａ〜１１ｄの両側面には、シール部３７４、３７５が設けられている。このため、第１〜４直線部用止水部材７〜１０と、第１〜４角部用止水部材１１ａ〜１１ｄとの間においても、水が室内側に侵入することを阻止することが可能となっている。また、シール部３７４、３７５が設けられることにより、第１〜４角部用止水部材１１ａ〜１１ｄと、第１〜４直線部用止水部材７〜１０との間における止水も容易に行うことが可能となっている。
【００９３】
さらに、第１〜４直線部用止水部材７〜１０及び第１〜４角部用止水部材１１ａ〜１１ｄは、それぞれ当接部３１１、３９１を有している。これにより、この外壁構造では、当接部３１１、３９１によって、室外側からシール部２９２、３７２、３７３を隠蔽することができるため、紫外線等によるシール部２９２、３７２、３７３の劣化を抑制することができる。ここで、当接部３１１、３９１を形成する補助板３１、３９が金属製であるため、当接部３１１、３９１自体も紫外線等に対する耐久性が高くなっている。これらのため、この外壁構造では、第１〜４直線部用止水部材７〜１０及び第１〜４角部用止水部材１１ａ〜１１ｄの耐久性が高くなっており、長期間に亘って、建物１の防水性を確保することができる。また、当接部３１１、３９１によってシール部２９２、３７２、３７３を隠蔽することにより、この外壁構造では、建物１の美観を向上させることも可能となっている。
【００９４】
さらに、第１、２直線部用止水部材７、８には、係止部材３５が固定されている。これにより、第１、２直線部用止水部材７、８は、窓サッシ３の上方や下方と外壁材５との間で建物１の止水を行うとともに、窓サッシ３の上方や下方において、建物１に対する外壁材５の取り付けも行うことが可能となる。この際、各係止部３５ｃに外壁材５の端面５０を係止することにより、建物１に外壁材５を取り付けるに当たって、釘打ちや螺子留めを行う必要がない。このため、この外壁構造では、建物１に外壁材５を取り付ける際に外壁材５が損傷したり、建物１の美観が低下したりすることがない。
【００９５】
ここで、各係止部３５ｃは、外壁材５に形成された係合溝５ｃに先端側が挿入されることによって外壁材５の端面５０を係止する。このため、この外壁構造では、第１、２直線部用止水部材７、８において、係止部材３５に対して外壁材５を別途に接着等を行うことなく、経年による外壁材５の反りを抑制しつつ、各係止部３５ｃが外壁材５を好適に係止することが可能となっている。
【００９６】
また、この外壁構造では、外壁材取付工程が完了した後に、化粧部材取付工程が行われ、窓サッシ３の周囲に化粧部材４５が取り付けられる。これにより、この外壁構造では、トップ材４５３の化粧面４５３ａによって、第１〜４直線部用止水部材７〜１０及び第１〜４角部用止水部材１１ａ〜１１ｄ、係止部材３５、ベース材４５１及び受け材４５２の他、端面５０を含む外壁材５の一部が覆われる。このため、この化粧面４５３ａによって、これらの第１〜４直線部用止水部材７〜１０等を隠蔽することができるため、建物１の美観をより向上させることが可能となっている。
【００９７】
ここで、化粧部材４５のベース材４５１を取り付けることにより、第１〜４直線部用止水部材７〜１０及び第１〜４角部用止水部材１１ａ〜１１ｄには、第３取付螺子４７による孔が形成されることとなる。この点、ベース材４５１にはシール部４５１ａが設けられている。そして、このシール部４５１ａによって、第３取付螺子４７による孔を通じて水が建物１の室内側に侵入することを阻止可能となっている。また、上記のように第３取付螺子４７の先端は空間Ｓ内に止まるとともに、第４取付螺子４９の先端は収容空間４５１ｃ内に止まる。これらのため、第３、４取付螺子４７、４９の各先端も、フランジ３ｂに当接しないだけでなく、防水シート１７や防水テープ２３にも当接しない。これらのため、この外壁構造では、化粧部材４５を取り付けることによって、建物１の防水性が低下することはない。
【００９８】
（実施例２）
実施例２の外壁構造では、実施例１の外壁構造における第１、２直線部用止水部材７、８に換えて、図９の（Ａ）に示す第１、２直線部用止水部材５１、５２が採用されている。第１、２直線部用止水部材５１、５２は同一の構成である。以下、第１直線部用止水部材５１を基に構成を説明する。
【００９９】
第１直線部用止水部材５１は、板部５１０を備えている。同図の（Ｂ）に示すように、板部５１０は、室外面５１０ａと、室外面の裏面となる室内面５１０ｂとを有している。また、同図（Ａ）に示すように、この板部５１０も幅方向で一端側から他端側に延びるとともに、長手方向に延びる金属板によって形成されており略矩形の板状をなしている。上記の板部２９０と同様、板部５１０の長手方向の長さは、サッシ本体３ａの左右方向の長さに対応して規定されている。
【０１００】
この第１直線部用止水部材５１は、押出成型によって形成されており、板部５１０に対して、支持部５１１と、当接部５１２と、係止部５１３とがそれぞれ一体で形成されている。支持部５１１は、板部５１０の他端側に位置しており、室内面５１０ｂ側から室内側に向かって延伸するように形成されている。この支持部５１１には、上記のシール部２９２が設けられている。
【０１０１】
当接部５１２は、板部５１０の他端側の端部に位置しており、室外面５１０ａ側から室外側に向かって延伸するように形成されている。この板部５１０では、板部５１０の一端側から当接部５１１までが上記の第１直線部用止水部材７等と同様に、第２幅Ｗ２となっている。
【０１０２】
係止部５１３は、基端側が板部５１０の室外面５１０ａから室外側に向かって略直角に延伸しているとともに、先端側が板部５１０の一端側に向かって略直角に屈曲している。これにより、係止部５１３は、上記の係止部３５ｃと同様に略クランク形状をなしており、室外面５１０ａから室外側に向かって延伸するように形成されている。この係止部５１３は、第１直線部用止水部材５１を横胴縁材１５ｂ及び枠部材１３に固定した際、フランジ３ｂの第１幅Ｗ１よりも外面１３２に近接する位置で室外面５１０ａに形成されている。
【０１０３】
また、板部５１０の一端側には複数の取付孔５１０ｃが形成されている。各取付孔５１０ｃについても、第１直線部用止水部材５１が建物１に取り付けられた際、板部５１０がフランジ３ｂの第１幅Ｗ１よりも外面１３２から遠隔した位置で固定されるように、板部５１０における位置が規定されている。
【０１０４】
第１直線部用止水部材５１は、第１直線部用止水部材７と同様、横胴縁材１５ｂ及び枠部材１３に固定されることにより、サッシ本体３ａの上方に配置される。また、第２直線部用止水部材５２は、第２直線部用止水部材８と同様、横胴縁材１５ｂ及び枠部材１３に固定されることにより、サッシ本体３ａの下方に配置される。そして、係止部材３５の係止部３５ｃと同様、係合溝５ａに係止部５１３の先端側をそれぞれ挿入することにより、係止部５１３が外壁材５の端面５０を係止する。こうして、この外壁構造においても、サッシ本体３ａの上方及び下方で第１、２直線部用止水部材５１、５２を介して外壁材５が建物１に取り付けられる。この外壁構造における他の構成は実施例１の外壁構造と同様であり、同一の構成については同一の符号を付して構成に関する詳細な説明を省略する。
【０１０５】
この外壁構造では、第１、２直線部用止水部材５１、５２の各板部５１０に対して、支持部５１１と、当接部５１２と、係止部５１３とがそれぞれ一体で形成されている。このため、この外壁構造では、施工をより容易化することができるとともに、より低コスト化を実現することができる。この外壁構造における他の作用は実施例１の外壁構造と同様である。
【０１０６】
以上において、本発明を実施例１、２に即して説明したが、本発明は上記実施例１、２に制限されるものではなく、その趣旨を逸脱しない範囲で適宜変更して適用できることはいうまでもない。
【０１０７】
例えば、実施例１の外壁構造において、支持部２９１、３７１を室内側により長く延伸させて形成し、フランジ３ｂに当接させても良い。この場合には、第１、２直線部用止水部材７、８に係止部材３５を固定する際に、第１、２直線部用止水部材７、８に揺れ等が生じ難くなり、係止部材３５を容易に固定することが可能となる。
【０１０８】
また、板部２９０に対して、支持部２９１と当接部３１１とを一体に形成しても良い。同様に、第１、２直線部用止水部材５１、５２における板部５１０に対して、係止部５１３を形成せずに、支持部５１１及び当接部５１２のみを一体に形成しても良い。
【０１０９】
さらに、実施例１の外壁構造において、第１〜４角部用止水部材１１ａ〜１１ｄを用いずに、第１〜４直線部用止水部材７〜１０のみを縦胴縁材１５ａ、横胴縁材１５ｂ及び枠部材１３に固定しても良い。この場合には、更なる低コスト化を実現することができる。実施例２の外壁構造においても同様である。
【０１１０】
また、実施例１、２の外壁構造において、化粧部材取付工程を省略して施工しても良い。
【０１１１】
さらに、窓サッシ３が建物１に設けられる位置によっては、サッシ本体３ａの上方等の一箇所にのみ第１直線部用止水部材７等が取り付けられても良い。建物１に対して窓サッシ３以外の開口部材が設けられる場合も同様である。
【０１１２】
また、実施例１の外壁構造では、サッシ本体３ａの上方及び下方において、建物１に外壁材５を取り付けるに当たり、外壁材５の端面５０に係合溝５ａを形成している。そして、この係合溝５ａに、各係止部３５ｃ先端側をそれぞれ挿入することによって各係止部３５ｃが外壁材５の端面５０を係止している。同様に、実施例２の外壁構造では、外壁材５の端面に形成された係合溝５ａに、係止部５１３先端側をそれぞれ挿入することによって係止部５１３が外壁材５の端面５０を係止している。これらに換えて、外壁材５の端面５０に係合溝５ａを形成しない一方で、各係止部３５ｃ、５１３の各基端側を外壁材５の室外側まで延伸させて形成し、各係止部３５ｃ、５１３の各基端側と各先端側との間に外壁材５の端面５０を載置することによって、建物１に外壁材５を取り付けても良い。
【０１１３】
さらに、実施例１の外壁構造において、第１、２直線部用止水部材７、８に係止部材３５を取り付けず、第１〜４直線部用止水部材７〜１０をいずれも同様の構成としても良い。この場合、サッシ本体３ａの上方及び下方では、外壁材５と壁部３１０との間に所定の大きさのスペーサ材を設けつつ、釘打ちや螺子留め等により外壁材５を建物１に固定することによって、建物１に外壁材５を取り付けることができる。上記のように、第１、２直線部用止水部材５１、５２について、係止部５１３を形成しない場合も同様である。
【産業上の利用可能性】
【０１１４】
本発明は住宅用建物の他、各種の建物に利用可能である。
【符号の説明】
【０１１５】
１…建物
３…窓サッシ（開口部材）
３ａ…サッシ本体（開口部材本体）
３ｂ…フランジ
５…外壁材
５ａ…係合溝
７〜１０…第１〜４直線部用止水部材（止水部材）
１１ａ〜１１ｄ…第１〜４角部用止水部材（止水部材）
１３…枠部材
１５ａ…縦胴縁材（壁下地材）
１５ｂ…横胴縁材（壁下地材）
１９…開口部
３５ｃ…係止部
４１…第１取付螺子（螺子）
５０…端面
５１…第１直線部用止水部材（止水部材）
５２…第２直線部用止水部材（止水部材）
１３２…外面
２９０…板部
２９０ａ…室外面
２９０ｂ…室内面
２９１…支持部
２９２…シール部
３１１…当接部
３７０…板部
３７０ａ…室外面
３７１…支持部
３７２、３７３…シール部
３９１…当接部
５１０…板部
５１０ａ…室外面
５１０ｂ…室内面
５１１…支持部
５１２…当接部
５１３…係止部
Ｗ１…第１幅
Ｗ２…第２幅
【図１】
0005946870.tif 000002
【図２】
0005946870.tif 000003
【図３】
0005946870.tif 000004
【図４】
0005946870.tif 000005
【図５】
0005946870.tif 000006
【図６】
0005946870.tif 000007
【図７】
0005946870.tif 000008
【図８】
0005946870.tif 000009
【図９】
0005946870.tif 000010